(57)【要約】【課題】船体上の装置等の重量バランスや作業の効率が向上する、貝類回収船を提供する。【解決手段】貝類回収船１０は、船体１４上において船体１４の長手方向中央部と船首１６との間に設けられる貝類取出装置１８を含む。貝類取出装置１８の長手方向は、船進行方向に対して垂直に延びる。貝類取出装置１８には選別機１４６が取り付けられる。船体１４の長手方向中央部付近かつ貝類取出装置１８と船尾２６との間に作業台２０が設けられる。貝類取出装置１８の入口近傍にカゴ上げ装置３４およびカゴ洗浄部１７３が設けられる。船体１４の右舷３２に、カゴ上げ装置３４とロープリフタ３８と駆動式テボヨケ４０と被駆動式テボヨケ４２とが設けられる。【選択図】図１
2015142551.tif 000002
【特許請求の範囲】
【請求項１】
養殖用カゴから貝類を回収する貝類回収船であって、
船体と、
前記養殖用カゴから前記貝類を取り出すために前記船体上において前記船体の長手方向中央部と船首との間に設けられる貝類取出装置とを備える、貝類回収船。
【請求項２】
前記船体上において前記船体の長手方向中央部付近かつ前記貝類取出装置と船尾との間に設けられる作業台をさらに備える、請求項１に記載の貝類回収船。
【請求項３】
前記貝類取出装置は、前記船体の幅方向に延びる、請求項１または２に記載の貝類回収船。
【請求項４】
前記貝類取出装置の長手方向は、船進行方向に対して垂直に延びる、請求項３に記載の貝類回収船。
【請求項５】
前記養殖用カゴを引き上げるために前記貝類取出装置の入口近傍に設けられるカゴ上げ装置をさらに備える、請求項３に記載の貝類回収船。
【請求項６】
前記養殖用カゴを洗浄するために前記貝類取出装置の入口近傍に設けられるカゴ洗浄部をさらに備える、請求項３に記載の貝類回収船。
【請求項７】
前記カゴ洗浄部は、前記船体の側部付近に設けられる、請求項６に記載の貝類回収船。
【請求項８】
前記養殖用カゴが取り付けられた幹綱を前記船体に対して相対的に船進行方向の前方から後方へ送り出しながら当該貝類回収船を前進させる船前進機構をさらに備える、請求項１または２に記載の貝類回収船。
【請求項９】
前記船前進機構は、前記幹綱を送り出す送出部と、前記幹綱を前記送出部へ案内するガイド部とを備え、前記送出部と前記ガイド部とは船進行方向に並んで配置される、請求項８に記載の貝類回収船。
【請求項１０】
前記貝類を選別するために前記貝類取出装置に取り付けられる選別機をさらに備える、請求項１または２に記載の貝類回収船。
【請求項１１】
前記養殖用カゴが取り付けられた幹綱を引き上げる綱上げ装置をさらに備える、請求項１または２に記載の貝類回収船。
【請求項１２】
前記貝類取出装置は、前記船体の幅方向の一端から幅方向中央部を超えた位置まで延び、かつ前記船体の幅方向の他端から離れて配置され、
前記作業台は、前記船体の幅方向の他端に設けられる、請求項２に記載の貝類回収船。
【請求項１３】
前記貝類取出装置は、前記船体の幅方向の一端から幅方向中央部を超えた位置まで延びる、請求項３に記載の貝類回収船。
【発明の詳細な説明】
【技術分野】
【０００１】
この発明は貝類回収船に関し、より特定的には、養殖中の貝類が入った養殖用カゴを海中より引き上げ、養殖用カゴから貝類を回収する貝類回収船に関する。
【背景技術】
【０００２】
この種の貝類回収船の一例が特許文献１において開示されている。特許文献１には、養殖中の貝類を養殖用カゴから回収する作業を自動的に行う装置を備えた船が開示されており、貝類取り出し装置は、引き揚げ回転体の支柱を回転中心として船上を回転移動する。また、この貝類取り出し装置は船尾側に設置されている。
【先行技術文献】
【特許文献】
【０００３】
【特許文献１】特開２０１２−２９６４３号公報
【発明の概要】
【発明が解決しようとする課題】
【０００４】
特許文献１に示す貝類回収船のように、貝類取り出し装置が船上で移動すると、その移動範囲内に他の装置や作業員を配置することができず、作業効率の観点から好ましくない。また、養殖中の貝類が入っていた古い養殖用カゴや、回収した小さな貝類を入れる新しい養殖用カゴは、場合によっては数百個にも及びかなりの重量になる。船の船尾側に貝類取り出し装置を設置した場合、それらの養殖用カゴを船首側に配置することになり、船体上の装置等の重量バランスの観点から好ましくない。
【０００５】
それゆえにこの発明の主たる目的は、船体上の装置等の重量バランスや作業の効率が向上する、貝類回収船を提供することである。
【課題を解決するための手段】
【０００６】
上述の目的を達成するために、養殖用カゴから貝類を回収する貝類回収船であって、船体と、養殖用カゴから貝類を取り出すために船体上において船体の長手方向中央部と船首との間に設けられる貝類取出装置とを備える、貝類回収船が提供される。
【０００７】
この発明では、船体上において船体の長手方向中央部と船首との間すなわち船体の船首側に貝類取出装置が設けられる。これにより、貝類取出装置の後方、とりわけ船体の長手方向の中央部から後方にかけて多くの養殖用カゴを配置できるので、船体上の装置等の重量バランスや貝類回収作業の効率が向上する。
【０００８】
好ましくは、船体上において船体の長手方向中央部付近かつ貝類取出装置と船尾との間に設けられる作業台をさらに備える。この場合、作業台を広いスペースに配置でき、作業がし易くなる。
【０００９】
また好ましくは、貝類取出装置は、船体の幅方向に延びる。この場合、貝類取出装置の後方のスペースを有効利用でき、たとえば養殖用カゴを開けやすくなる。
【００１０】
さらに好ましくは、貝類取出装置の長手方向は、船進行方向に対して垂直に延びる。この場合、貝類取出装置の後方のスペースをさらに有効利用できる。
【００１１】
好ましくは、養殖用カゴを引き上げるために貝類取出装置の入口近傍に設けられるカゴ上げ装置をさらに備える。このようにカゴ上げ装置を用いることによって、養殖用カゴの引き上げ作業を確実に行え、作業性も向上する。
【００１２】
また好ましくは、養殖用カゴを洗浄するために貝類取出装置の入口近傍に設けられるカゴ洗浄部をさらに備える。この場合、養殖用カゴに付着したゴミをカゴ洗浄部によって予め取り除くことによって、貝類取出装置での処理がより円滑になる。
【００１３】
さらに好ましくは、カゴ洗浄部は、船体の側部付近に設けられる。このようにカゴ洗浄部を船体の側部付近に設けることによって、船内のスペースをより広く使用できる。
【００１４】
好ましくは、養殖用カゴが取り付けられた幹綱を船体に対して相対的に船進行方向の前方から後方へ送り出しながら貝類回収船を前進させる船前進機構をさらに備える。この場合、船進行方向の前方から後方へ幹綱を送り出しながら貝類回収船を前進させることによって、貝類回収船を前進させながら養殖用カゴを回収でき、作業効率およびエネルギ効率を向上できる。
【００１５】
また好ましくは、船前進機構は、幹綱を送り出す送出部と、幹綱を送出部へ案内するガイド部とを備え、送出部とガイド部とは船進行方向に並んで配置される。この場合、ガイド部から送出部に幹綱を案内するので、貝類回収船を幹綱に沿って正確に前進できる。したがって、貝類回収船の目的地までの移動時間を短くでき、作業性が向上する。
【００１６】
さらに好ましくは、貝類を選別するために貝類取出装置に取り付けられる選別機をさらに備える。このように貝類取出装置に選別機を取り付けることによって、貝類を取り出す作業と貝類を選別する作業とが一体化し、作業性がさらに向上する。
【００１７】
好ましくは、養殖用カゴが取り付けられた幹綱を引き上げる綱上げ装置をさらに備える。このように綱上げ装置を用いることによって、幹綱の引き上げ作業の効率が向上する。
【００１８】
また好ましくは、貝類取出装置と船尾との間に作業台が設けられる場合において、貝類取出装置は、船体の幅方向の一端から幅方向中央部を超えた位置まで延び、かつ船体の幅方向の他端から離れて配置され、作業台は、船体の幅方向の他端に設けられる。この場合、貝類取出装置によって取り出された貝類を、容易に作業台まで運搬することができる。
【００１９】
さらに好ましくは、貝類取出装置は、船体の幅方向の一端から幅方向中央部を超えた位置まで延びる。この場合、貝類取出装置の長手方向の寸法を短くでき、貝類取出装置と船体の幅方向の他端との間にスペースを設けることができるので、作業性が向上する。
【００２０】
「船体の長手方向中央部」は、船体の先端と後端との中点を通りかつ船体の長手方向に対して直交する（船体の幅方向に延びる）直線に相当する。
「船体の幅方向中央部」は、船体の長手方向に延びる船体のセンターラインに相当する。
「船進行方向」とは、船の進む方向であり、船首側および船尾側とは無関係である。
「作業台が貝類取出装置と船尾との間に設けられる」場合には、船体の長手方向おいて作業台と貝類取出装置とが重ならない場合も含まれる。
【発明の効果】
【００２１】
この発明によれば、船体上の装置等の重量バランスや貝類回収作業の効率が向上する。
【図面の簡単な説明】
【００２２】
【図１】この発明の一実施形態の貝類回収船を示し、（ａ）は側面図であり、（ｂ）は平面図である。
【図２】養殖用カゴの一例を示す図解図である。
【図３】貝類回収作業時の貝類回収船を示す図解図である。
【図４】作業台の一例を示し、（ａ）は正面図であり、（ｂ）は平面図であり、（ｃ）は（ａ）におけるＡ−Ａ線断面図である。
【図５】貝類取出装置および選別機等の一例を示す正面図である。
【図６】受け部の一例を示し、（ａ）は平面図であり、（ｂ）は端面図である。
【図７】受け部の一端部に設けられる脚部等の一例を示す側面図である。
【図８】図５におけるＢ−Ｂ線断面図解図である。
【図９】図５におけるＣ−Ｃ線断面図解図である。
【図１０】図５におけるＤ−Ｄ線断面図解図である。
【図１１】受け部の裏面の構造を示す底面図である。
【図１２】図５におけるＥ−Ｅ線断面図解図である。
【図１３】回転軸の先端部近傍を示す正面図である。
【図１４】カゴ上げ装置およびカゴ洗浄部の一例を示し、（ａ）は正面図であり、（ｂ）は平面図であり、（ｃ）は側面図である。
【図１５】ロープリフタの一例を示し、（ａ）は正面図であり、（ｂ）は平面図であり、（ｃ）は側面図である。
【図１６】駆動式テボヨケの一例を示し、（ａ）は正面図であり、（ｂ）は平面図であり、（ｃ）は側面図である。
【図１７】被駆動式テボヨケの一例を示し、（ａ）は正面図であり、（ｂ）は平面図であり、（ｃ）は側面図である。
【図１８】この発明の他の実施形態の貝類回収船を示し、（ａ）は側面図であり、（ｂ）は平面図である。
【図１９】作業台の他の例を示し、（ａ）は正面図であり、（ｂ）は平面図であり、（ｃ）は（ａ）におけるＡ１−Ａ１線断面図である。
【図２０】貝類取出装置および選別機等の他の例を示す正面図である。
【図２１】図２０に示す矢印Ｙ方向からみた貝類取出装置を示す図である。
【図２２】貝類取出装置および選別機等の他の例を示す側面図である。
【図２３】図２０に示す選別機を支持する支持部材近傍を示す図解図である。
【図２４】振動発生部の主要部を示す図解図である。
【図２５】カゴ上げ装置の他の例を示し、（ａ）は正面図であり、（ｂ）は平面図であり、（ｃ）は側面図である。
【図２６】この発明のその他の実施形態の貝類回収船を示す平面図である。
【発明を実施するための形態】
【００２３】
以下、図面を参照してこの発明の実施の形態について説明する。
図１（ａ）および（ｂ）を参照して、この発明の一実施形態の貝類回収船１０は、養殖用カゴ１２から貝類を回収する船であり、船体１４を含む。船体１４は、たとえば繊維強化プラスチック（ＦＲＰ）からなる。貝類は、たとえばホタテ貝である。なお、図１、図１８および図２６に示すように、船体１４の長手方向中央部を“ＣＲ”で示し、船体１４の幅方向中央部を“ＣＬ”で示す。船体１４において、長手方向中央部ＣＲと船首１６との間を第１領域ＦＲとし、長手方向中央部ＣＲと船尾２６との間を第２領域ＳＲとする。
【００２４】
船体１４上において船体１４の長手方向中央部ＣＲと船首１６との間には、養殖用カゴ１２から貝類を取り出すための貝類取出装置１８が設けられる。貝類取出装置１８は、船体１４の幅方向に亘って延びる。具体的には、貝類取出装置１８の長手方向は、船進行方向に対して垂直に延びる。船体１４上において船体１４の長手方向中央部ＣＲ付近かつ貝類取出装置１８と船尾２６との間に作業台２０が設けられる。具体的には、作業台２０は、船体１４の長手方向中央部ＣＲ付近かつ幅方向中央部ＣＬにおいて、船体１４の長手方向に延びるように設けられる。船体１４上において作業台２０の後方には操船台２２が設けられ、操船台２２には操舵ハンドル２４が配置されている。操船台２２の内部には、図示しないエンジン、海水ポンプおよび油圧ポンプ等が配置される。図示しないオイルタンクは、右舷ハッチ２５内に配置される。船体１４の船尾２６付近には、２つの船外機２８が設けられる。オイルタンク内のオイルはエンジンによって駆動される油圧ポンプによって油圧機器に供給され、油圧機器が駆動される。
【００２５】
船体１４は、左舷３０と右舷３２とを有する。右舷３２には、カゴ上げ装置３４、船前進機構３６およびロープリフタ３８が設けられる。カゴ上げ装置３４は、海中から貝類が収容された養殖用カゴ１２を引き上げる装置であり、貝類取出装置１８の一端部（この実施形態では、右端部）近傍すなわち貝類取出装置１８の入口近傍に設けられる。船前進機構３６は、養殖用カゴ１２が取り付けられた幹綱５０（後述）を船体１４に対して相対的に船進行方向の前方から後方へ送り出しながら貝類回収船１０を前進させるものである。船前進機構３６は、幹綱５０を送り出す送出部として機能する駆動式テボヨケ４０と、幹綱５０を駆動用テボヨケ４０へ案内するガイド部として機能する被駆動式テボヨケ４２とを含む。駆動式テボヨケ４０と被駆動式テボヨケ４２とは船進行方向に並んで配置され、駆動式テボヨケ４０は船尾側、被駆動式テボヨケ４２は船首側に位置する。駆動式テボヨケ４０は作業台２０よりも後方に設けられ、被駆動式テボヨケ４２はカゴ上げ装置３４の近傍に設けられる。駆動式テボヨケ４０によって船体１４の前進動力が得られる。ロープリフタ３８は、幹綱５０を持ち上げるための装置であり、駆動式テボヨケ４０の近傍に設けられる。
【００２６】
図１（ｂ）を参照して、船体１４上において、作業員は、“１”，“２”，“３”および“４”の４箇所にそれぞれ一人ずつ、合計４人配置される。また、船体１４上において作業台２０の周囲、特に作業台２０の左右両側および後方には、貝類を取り出した古い養殖用カゴ１２および貝類を収容するための新しい養殖用カゴ１２が置かれている。
【００２７】
以下、各部について詳細に説明する。
図２を参照して、養殖用カゴ１２は、カゴ本体４４とカゴひも４６と錘４８とを含む。カゴ本体４４は、細長い蛇腹状に形成され、長手方向に複数段の収容部４４ａに区画される。各収容部４４ａには貝類が収納される。この実施形態では、カゴ本体４４は、３０段の収容部４４ａに区画され、カゴ本体４４の全長は略４０００ｍｍである。隣り合う収容部４４ａ間を、水や空気は流通可能であるが、貝類は移動不能である。カゴひも４６は、カゴ本体４４の一端部に取り付けられる枝綱であり、この実施形態では、略２０００ｍｍ程度の長さを有する。錘４８は、カゴ本体４４の他端部に取り付けられ、この実施形態では、略１．５ｋｇの質量を有する。
【００２８】
図３を参照して、養殖用カゴ１２は、カゴひも４６よりも太い幹綱５０に取り付けられる。すなわち、複数の養殖用カゴ１２のカゴひも４６の先端部が、略所定間隔（たとえば、略５０ｃｍ間隔）で幹綱５０に結ばれる。また、幹綱５０には、複数のブイ５１がそれぞれ枝綱５１ａを介して所定間隔で取り付けられる。このような状態で、海の養殖エリアにおいて、複数のブイ５１を一列に浮かべると、幹綱５０が海面から略所定深さの位置で略一方向に延びるように設けられる。すると、幹綱５０に吊るされた各養殖用カゴ１２は、海中の略所定深さにおいて上下方向に延び、複数の養殖用カゴ１２は、略所定間隔をあけて一列に配置される。
【００２９】
図４（ａ）〜（ｃ）を参照して、作業台２０は、たとえばＦＲＰからなり、スタンション５２と、スタンション５２上に配置されるテーブル５４とを含む。テーブル５４は、平面視で長方形状の外形を有し、船体１４の長手方向に延びる２つの溝部５６ａ，５６ｂを有する。２つの溝部５６ａ，５６ｂは、断面半円環状に形成される。作業台２０では、作業者によって養殖用カゴ１２に貝類が収容される。
【００３０】
図５を参照して、貝類取出装置１８は、養殖用カゴ１２から取り出された貝類を受ける受け部５８を含む。
【００３１】
受け部５８は、シュータとして機能し、収容部本体６０と、側部６２ａ，６２ｂとを含む。図６（ａ）および（ｂ）を参照して、収容部本体６０は、直線状に延びる溝部６４と、溝部６４の一端部に設けられる溜り部６６とを有する。溝部６４は略同一深さに形成され、溜り部６６は、溝部６４より深くなるように形成される。図８〜図１０をも参照して、側部６２ａ，６２ｂはそれぞれ、収容部本体６０の一側方と他側方とにおいて収容部本体６０の長手方向に延びるように形成される。側部６２ａ，６２ｂは、中空角筒状に形成される。
【００３２】
図５および図７を参照して、受け部５８の一端部（この実施形態では右端部）には、受け部５８の幅方向に並ぶように２つのブラケット部６８ａ，６８ｂが取り付けられている。ブラケット部６８ａは脚部７０ａを介してブラケット部７２ａに接続され、ブラケット部６８ｂは脚部７０ｂを介してブラケット部７２ｂに接続される。ブラケット部７２ａ，７２ｂは、右舷３２に取り付けられる。また、受け部５８の他端部（この実施形態では左端部）には、ブラケット部７４が取り付けられる。ブラケット部７４は、左舷３０に取り付けられるブラケット部７６に接続される。このようにして、受け部５８は、一端部（この実施形態では右端部）が高くかつ他端部（この実施形態では左端部）が低くなるように配置され、貝類を溜り部６６方向に流れやすくする。したがって、受け部５８の右端部が上流側、左端部が下流側になる。
【００３３】
図５および図８を参照して、受け部５８の上方には、養殖用カゴ１２を保持するカゴ保持部７８が設けられる。カゴ保持部７８は、下保持部８０と上保持部８２とを含む。下保持部８０は、３つの棒状部材８４，８５，８６と、５つの弧状部材８８，９０，９２，９４，９６とを有する。棒状部材８４，８５，８６は、受け部５８と略同等の長さを有し、相互に平行にかつ受け部５８の長手方向に延びる。弧状部材８８，９０，９２，９４，９６は、間隔をあけて配置され、それぞれ３つの棒状部材８４と８５と８６とを連結する。上保持部８２は、１つの棒状部材９８と、５つの弧状部材１００，１０２，１０４，１０６，１０８とを有する。棒状部材９８は、受け部５８と略同等の長さを有し、棒状部材８４と平行に延びる。弧状部材１００，１０２，１０４，１０６，１０８は、間隔をあけて配置され、それぞれ棒状部材８６と９８とを連結する。棒状部材９８および弧状部材１００，１０２，１０４，１０６，１０８は、棒状部材８６に対して揺動可能である。したがって、図８に示すように、上保持部８２は下保持部８０に対して矢印Ｘ方向に揺動（開閉）可能である。なお、養殖用カゴ１２を受け部５８に配置するとき、典型的には、カゴ本体４４の上部を弧状部材９６側から弧状部材８８側に滑らせて養殖用カゴ１２を下保持部８０上に配置する。したがって、貝類取出装置１８（カゴ保持部７８）では、弧状部材９６側が入口、弧状部材８８側が出口となる。
【００３４】
貝類取出装置１８は、振動発生部１０９を有する。図５および図１１を参照して、振動発生部１０９は、受け部５８の裏面の右端部近傍にブラケット部１１０を介して取り付けられるたとえば油圧式のモータ１１２を含む。モータ１１２には伝達機構１１４を介して回転軸１１６が接続される。伝達機構１１４と回転軸１１６とは締結部材１１８によって接続され、伝達機構１１４はモータ１１２の回転を回転軸１１６の揺動に変換する。したがって、モータ１１２が回転すると、回転軸１１６は自らの軸心を中心として周方向に揺動する。図９をも参照して、受け部５８の裏面には、長手方向に間隔をあけてブラケット部１２０ａ，１２０ｂ，１２０ｃが配置される。ブラケット部１２０ａ，１２０ｂ，１２０ｃにはそれぞれ、軸受け部１２２ａ，１２２ｂ，１２２ｃが設けられる。回転軸１１６は、軸受け部１２２ａ，１２２ｂ，１２２ｃに挿通される。したがって、回転軸１１６は、受け部５８の裏面の幅方向略中央部において長手方向に延び、軸受け部１２２ａ，１２２ｂ，１２２ｃによって回動可能に支持される。
【００３５】
図５、図８および図１２を参照して、下保持部８０には、２つの角筒状の筒状部材１２４ａ，１２４ｂが取り付けられる。筒状部材１２４ａ，１２４ｂは、下保持部８０の長手方向に延び、弧状部材９０から９４までの間隔に略相当する長さを有する。具体的には、下保持部８０の弧状部材９０には、２つのブラケット部１２６ａ，１２８ａが取り付けられ、弧状部材９２には、２つのブラケット部１２６ｂ，１２８ｂが取り付けられ、弧状部材９４には、２つのブラケット部１２６ｃ，１２８ｃが取り付けられる。ブラケット部１２６ａ，１２６ｂ，１２６ｃは、棒状部材８４近傍に位置し、ブラケット部１２８ａ，１２８ｂ，１２８ｃは、棒状部材８５近傍に位置する。そして、筒状部材１２４ａは、ブラケット部１２６ａ，１２６ｂ，１２６ｃにそれぞれ、締結部材１３０ａ，１３０ｂ，１３０ｃ（図１１参照）によって接続され、筒状部材１２４ｂは、ブラケット部１２８ａ，１２８ｂ，１２８ｃにそれぞれ、締結部材１３２ａ，１３２ｂ，１３２ｃ（図１１参照）によって接続される。
【００３６】
ここで、図８および図１１を参照して、締結部材１３０ａ，１３２ａは、それぞれ受け部５８の側部６２ａ，６２ｂを貫通し、受け部５８の裏面において連結部材１３４ａによって相互に連結される。同様に、締結部材１３０ｂ，１３２ｂは、それぞれ受け部５８の側部６２ａ，６２ｂを貫通し、受け部５８の裏面において連結部材１３４ｂによって相互に連結される。また、締結部材１３０ｃ，１３２ｃは、それぞれ受け部５８の側部６２ａ，６２ｂを貫通し、受け部５８の裏面において連結部材１３４ｃによって相互に連結される。締結部材１３０ａ，１３０ｂ，１３０ｃはそれぞれ、受け部５８の側部６２ａに対して上下動可能であり、締結部材１３２ａ，１３２ｂ，１３２ｃはそれぞれ、受け部５８の側部６２ｂに対して上下動可能である。
【００３７】
図５、図８、図１１および図１３を参照して、回転軸１１６は、保持部１３６ａ，１３６ｂ，１３６ｃに挿入される。保持部１３６ａ，１３６ｂ，１３６ｃは、間隔をあけて回転軸１１６に固定される。回転軸１１６の軸方向において、保持部１３６ａ，１３６ｂ，１３６ｃの位置はそれぞれ、連結部材１３４ａ，１３４ｂ，１３４ｃの位置に対応する。保持部１３６ａの上端部は、長円状の連結板１３８ａ，１４０ａによって挟まれかつ連結板１３８ａ，１４０ａを介して、連結部材１３４ａに連結される。ここで、保持部１３６ａの上端部と、連結板１３８ａ，１４０ａの下端部とは締結部材１４２ａによって接続され、連結板１３８ａ，１４０ａの上端部と連結部材１３４ａとは、締結部材１４４ａによって接続される。同様に、保持部１３６ｂの上端部は、長円状の連結板１３８ｂ，１４０ｂによって挟まれかつ連結板１３８ｂ，１４０ｂを介して、連結部材１３４ｂに連結される。ここで、保持部１３６ｂの上端部と、連結板１３８ｂ，１４０ｂの下端部とは締結部材１４２ｂによって接続され、連結板１３８ｂ，１４０ｂの上端部と連結部材１３４ｂとは、締結部材１４４ｂによって接続される。また、保持部１３６ｃの上端部は、長円状の連結板１３８ｃ，１４０ｃによって挟まれかつ連結板１３８ｃ，１４０ｃを介して、連結部材１３４ｃに連結される。ここで、保持部１３６ｃの上端部と、連結板１３８ｃ，１４０ｃの下端部とは締結部材１４２ｃによって接続され、連結板１３８ｃ，１４０ｃの上端部と連結部材１３４ｃとは、締結部材１４４ｃによって接続される。
【００３８】
このようにして振動発生部１０９が構成される。振動発生部１０９では、モータ１１２の駆動によって回転軸１１６が揺動し、それに伴って、筒状部材１２４ａ，１２４ｂが上下および／または左右に揺れ動き、保持部７８が振動する。
【００３９】
また、図５および図８を参照して、下保持部８０と受け部５８との間には選別機１４６が配置される。選別機１４６は、略短冊状に形成され、下保持部８０（受け部５８）の長手方向に延びる。選別機１４６の長手方向の両端部が、下保持部８０の弧状部材８８および９６に接続される。選別機１４６には、略同じサイズの複数の貫通孔１４８が形成される。貫通孔１４８によって比較的小さい貝類を受け部５８上に落とすことができ、貝類を大きさによって選別することができる。さらに、受け部５８と選別機１４６との間であって、受け部５８の一端部（この実施形態では右端部）には、受け部５８の幅方向に延びる円筒状の散水部１５０が設けられる。散水部１５０は、水を導入する導入口１５２と、水を吐出する複数の貫通孔１５４とを有する。導入口１５２は、散水部１５０の端部に形成され、複数の貫通孔１５４は、散水部１５０の外表面において散水部１５０の長手方向（受け部５８の幅方向）に間隔をあけて形成される。導入口１５２に図示しないエルボを介してホースが接続され、散水部１５０内に水が導入されると、散水部１５０の複数の貫通孔１５４から受け部５８内へたとえば高圧で散水される。これによって、受け部５８内の貝類が洗浄されかつ下流側（溜り部６６方向）に流される。なお、受け部５８の溜り部６６近傍には、貝類に付着した落ちにくい汚れを人力で落とすために、たとえばゴムヘラ等が配置されてもよい。
【００４０】
図１４（ａ）〜（ｃ）を参照して、カゴ上げ装置３４は略Ｚ字状の支柱１５６を含む。支柱１５６の下部にはフランジ部１５８が取り付けられる。支柱１５６の上端部には、略Ｔ字状の保持部１６０が取り付けられ、保持部１６０によってモータ１６２が保持される。モータ１６２には、略水平方向に延びるように回転軸１６４が取り付けられ、モータ１６２によって回転軸１６４が回転される。回転軸１６４にはドラム部１６６が設けられる。ドラム部１６６は、一対の円板状部材１６８ａ，１６８ｂを有する。円板状部材１６８ａ，１６８ｂは、相互に対向するように回転軸１６４に取り付けられる。円板状部材１６８ａと回転軸１６４とを連結するように複数（この実施形態では５本）の湾曲したワイヤ部材１７０ａが設けられ、円板状部材１６８ｂと回転軸１６４とを連結するように複数（この実施形態では５本）の湾曲したワイヤ部材１７０ｂが設けられる。すなわち、各ワイヤ部材１７０ａは、円板状部材１６８ａの対向面における外周縁近傍と、回転軸１６４における円板状部材１６８ａ，１６８ｂの略中間位置とを、やや膨らむように湾曲して連結する。５本のワイヤ部材１７０ａは、円板状部材１６８ａの周方向において略等間隔に設けられる。同様に、各ワイヤ部材１７０ｂは、円板状部材１６８ｂの対向面における外周縁近傍と、回転軸１６４における円板状部材１６８ａ，１６８ｂの略中間位置とを、やや膨らむように湾曲して連結する。５本のワイヤ部材１７０ｂは、円板状部材１６８ｂの周方向において略等間隔に設けられる。各ワイヤ部材１７０ａとそれに対応するワイヤ部材１７０ｂとは、相互に回転軸１６４の軸方向に並ぶように位置決めされる。これによって、回転軸１６４の軸方向に対して直交する方向から見ると、相互に対応するワイヤ部材１７０ａと１７０ｂとによって、略Ｖ字が形成され、合計５つの略Ｖ字が形成される。図１４（ａ）に示すように、当該Ｖ字の谷の部分、すなわちワイヤ部材１７０ａ，１７０ｂの回転軸１６４側端部間に、カゴひも４６を引っ掛けることができる。ワイヤ部材１７０ａと１７０ｂとをこのように略Ｖ字状に形成することによって、カゴひも４６を引っ掛け易くなる一方、カゴ本体４４は引っ掛かり難く破損しにくい。このようなカゴ上げ装置３４は、支柱１５６を右舷３２に設けられる保持部１７１に挿入し、フランジ部１５８と保持部１７１のフランジ部１７１ａとを複数（この実施形態では２つ）の締結部材１７２によって接続することによって、右舷３２に固定される。
【００４１】
また、カゴ上げ装置３４のドラム部１６６の近傍には、カゴ１２を洗浄するためのカゴ洗浄部１７３が設けられる。すなわち、カゴ洗浄部１７３は、船体１４の側部付近かつ貝類取出装置１８の入口近傍に設けられる。カゴ洗浄部１７３は、一部にギャップを有する略Ｃ字状かつ中空環状の散水部１７４を有し、散水部１７４は、複数の貫通孔１７６を有する。複数の貫通孔１７６は、散水部１７４の外表面に間隔をあけて形成される。たとえば、貫通孔１７６は、中心かつ斜め下方に散水できるように設けられる。散水部１７４の外表面の外側には、散水部１７４内に水を導入するための円筒状の導入部１７８が設けられる。散水部１７４は、連結部材１８０を介して保持部１６０に連結される。導入部１７８には、図示しないホースが接続され、たとえば図示しない油圧式のモータによって散水部１７４内に水が導入される。すると、散水部１７４の複数の貫通孔１７６から、たとえば中心かつ斜め下方向へ高圧で散水され、カゴ１２が洗浄される。これによって、船体１４に上がる前にカゴ１２に付着した海水中のゴミが取り除かれる。
【００４２】
図１５（ａ）〜（ｃ）を参照して、ロープリフタ３８は、略Ｌ字状の支柱１８２を含む。支柱１８２の下部には、フランジ部１８４が取り付けられる。支柱１８２の先端部には、滑車１８６が取り付けられる。右舷３２には、保持部１８７がブラケット部１８８ａを介して取り付けられる。そして、ロープリフタ３８の支柱１８２の下部が、保持部１８７に挿入され、フランジ部１８４と保持部１８７のフランジ部１８８ｂとが締結部材１８９によって接続される。これによって、ロープリフタ３８が右舷３２に取り付けられる。ロープリフタ３８とモータ２０４（後述）とワーピングドラム２０６（後述）とによって、幹綱５０を引き上げる綱上げ装置が構成される。
【００４３】
図１６（ａ）〜（ｃ）を参照して、駆動式テボヨケ４０は、テボヨケ本体１９０を含む。テボヨケ本体１９０は、回転軸１９２によって支持される。テボヨケ本体１９０は回転軸１９２とともに回転する。テボヨケ本体１９０は、略五角形状の板状部材１９４と長方形状の板状部材１９６とによって挟まれ、板状部材１９４と１９６とは複数（この実施形態では２つ）の締結部材１９８によって連結される。板状部材１９４には、略逆Ｖ字状に折り曲げられたフレーム状部材２００が取り付けられる。さらに、回転軸１９２には、伝達ユニット２０２を介してたとえば油圧式のモータ２０４が接続されるとともに、ワーピングドラム２０６が接続される。モータ２０４が駆動されると、伝達ユニット２０２および回転軸１９２を介して、テボヨケ本体１９０およびワーピングドラム２０６が回転する。すなわち、モータ２０４は、テボヨケ本体１９０およびワーピングドラム２０６の駆動に共用される。伝達ユニット２０２の両端部には板状部材２０８，２１０が取り付けられる。板状部材２０８，２１０はそれぞれ、右舷３２に取り付けられるブラケット部２１２に接続部材２１４によって接続される。これによって、駆動式テボヨケ４０は、右舷３２に対して揺動可能に取り付けられる。テボヨケ本体１９０によって幹綱５０が船首１６側から船尾２６側に送られるとともに、フレーム状部材２００によってカゴひも４６が駆動式テボヨケ４０より外方（駆動式テボヨケ４０を基準として船体１４とは反対側、すなわち海側）に導かれる（図１６（ｂ）参照）。なお、図１６（ｃ）では、モータ２０４の図示は省略されている。
【００４４】
図１７（ａ）〜（ｃ）を参照して、被駆動式テボヨケ４２は、テボヨケ本体２１６を含む。テボヨケ本体２１６は、回転軸２１８によって回転可能に支持される。テボヨケ本体２１６は、略五角形状の板状部材２２０とＬ字状の折り曲げられた板状部材２２２とによって挟まれ、板状部材２２０と２２２とは複数（この実施形態では２つ）の締結部材２２４によって連結される。板状部材２２０には、略逆Ｖ字状に折り曲げられた部分を有するフレーム状部材２２６が取り付けられる。板状部材２２２は、右舷３２に締結部材２２８によって接続される。これによって、被駆動式テボヨケ４２は、右舷３２に固定される。テボヨケ本体２１６によって幹綱５０が船首１６側から船尾２６側に送られるとともに、棒状部材２２６によってカゴひも４６が被駆動式テボヨケ４２より外方（被駆動式テボヨケ４２を基準として船体１４とは反対側、すなわち海側）に導かれる（図１７（ｂ）参照）。
【００４５】
このような貝類回収船１０における貝類回収作業の手順について説明する。
まず、貝類回収船１０を養殖エリアまで航行させ、一列に浮かべられた複数のブイ５１に横づけする。そして、幹綱５０の後端部を海中から持ち上げて、ロープリフタ３８の滑車１８６に掛けて、さらにワーピングドラム２０６に巻きつける。その状態でモータ２０４を駆動させ、ワーピングドラム２０６を回転させると、幹綱５０は引き上げられる。引き上げられた幹綱５０を、人手によって駆動式テボヨケ４０のテボヨケ本体１９０上および被駆動式テボヨケ４２のテボヨケ本体２１６上に置き、テボヨケ本体１９０および２１６によって支持させる（図１６（ｂ）、図１７（ｂ）参照）。駆動式テボヨケ４０より後方の幹綱５０は、滑車１８６およびワーピングドラム２０６から外され、駆動式テボヨケ４０より後方の海中に戻される。その状態でモータ２０４を駆動させ、テボヨケ本体１９０を回転させると、幹綱５０は、船体１４に対して相対的に船進行方向の前方から後方（船首１６側から船尾２６側）に送り出されながら、貝類回収船１０は前進する。このとき、テボヨケ本体１９０は、図１（ａ）でいえば反時計廻りに回転する。
【００４６】
そして、被駆動式テボヨケ４２を越えてカゴ上げ装置３４の位置まで移動してきた養殖用カゴ１２のカゴひも４６は、人力で幹綱５０から取り外され、カゴ上げ装置３４におけるワイヤ部材１７０ａ，１７０ｂの回転軸１６４側端部間（略Ｖ字の谷の部分）に引っ掛けられる（図１４（ａ）参照）。その状態で、カゴ上げ装置３４のモータ１６２が駆動されるとともに人力でカゴひも４６が貝類取出装置１８側に引っ張られると、カゴひも４６とともに海中からカゴ本体４４が引き上げられ、カゴ本体４４は、略Ｃ字状の散水部１７４の内側を通される。このとき、散水部１７４からカゴ本体４４への散水によって、カゴ本体４４が洗浄され、カゴ本体４４の外面に付着しているゴミが分離・除去される。散水部１７４を通過したカゴ本体４４は、人力で貝類取出装置１８まで導かれ、開いた状態のカゴ保持部７８の下保持部８０上に配置される。そして、貝類を取り出せるようにカゴ本体４４が開けられ、かつその開口部が下方に位置するようにカゴ本体４４が位置決めされると、下保持部８０に向けて上保持部８２が降ろされ、カゴ保持部７８が閉じられる。すなわち、カゴ本体４４が下保持部８０と上保持部８２とによって挟まれる。そして、散水部１５０から散水され、モータ１１２を駆動させて振動発生部１０９によってカゴ保持部７８および選別機１４６を振動させながら、カゴ本体４４から人手によって貝類が取り出される。サイズの大きい貝類は選別機１４６上を上流側から下流側に移動する一方、サイズの小さい貝類は選別機１４６の貫通孔１４８から受け部５８上に落とされ、上流側から下流側に移動し、溜り部６６に集められる。そして、貝類取出装置１８の下流側からサイズ別に貝類が取り出され、回収される。
【００４７】
その後、回収された貝類は、人手によって作業台２０まで移動され、サイズ別に所定の新しい養殖用カゴ１２の収容部４４ａに収容される。貝類が収容された新しい養殖用カゴ１２が、駆動式テボヨケ４０と被駆動式テボヨケ４２との間において幹綱５０に取り付けられる。
【００４８】
以上の作業が所定サイクル繰り返され、幹綱５０が後方に送り出されていくと、やがて貝類が収容された新しい養殖用カゴ１２が、幹綱５０に吊るされた状態で海中に沈められていく。
【００４９】
このような貝類回収船１０によれば、船体１４上において船体１４の長手方向中央部ＣＲと船首１６との間すなわち船体１４の船首１６側に貝類取出装置１８が設けられる。これにより、貝類取出装置１８の後方、とりわけ船体１４の長手方向の中央部から後方にかけて多くの養殖用カゴ１２を配置できるので、船体１４上の装置等の重量バランスや貝類回収作業の効率が向上する。
【００５０】
作業しやすい作業台２０を、船体１４上において船体１４の長手方向中央部ＣＲ付近かつ貝類取出装置１８と船尾２６との間という、作業性の良い広いスペースに配置することによって、養殖用カゴ１２に貝類を入れる作業の効率が向上し、作業時間を短縮できる。
【００５１】
貝類取出装置１８は船体１４の幅方向に延びるように設けられるので、貝類取出装置１８の後方のスペースを有効利用でき、たとえば養殖用カゴ１２を開けやすくなる。さらに、貝類取出装置１８の長手方向は、船進行方向に対して垂直に延びるので、貝類取出装置１８の後方のスペースをさらに有効利用できる。
【００５２】
カゴ上げ装置３４を用いることによって、養殖用カゴ１２の引き上げ作業を確実に行え、作業性も向上する。
【００５３】
養殖用カゴ１２に付着したゴミをカゴ洗浄部１７３によって予め取り除くことによって、貝類取出装置１８での処理がより円滑になる。
【００５４】
カゴ洗浄部１７３を船体１４の側部付近に設けることによって、船内のスペースをより広く使用できる。
【００５５】
船進行方向の前方から後方へ幹綱５０を送り出しながら貝類回収船１０を前進させることによって、貝類回収船１０を前進させながら養殖用カゴ１２を回収でき、作業効率およびエネルギ効率を向上できる。
【００５６】
被駆動式テボヨケ４２から駆動式テボヨケ４０に幹綱５０を案内するので、貝類回収船１０を幹綱５０に沿って正確に前進できる。したがって、貝類回収船１０の目的地までの移動時間を短くでき、作業性が向上する。
【００５７】
貝類取出装置１８に選別機１４６を取り付けることによって、貝類を取り出す作業と貝類を選別する作業とが一体化し、作業性がさらに向上する。
【００５８】
綱上げ装置を用いることによって、幹綱５０の引き上げ作業の効率が向上する。
【００５９】
上述のように、船体１４に、利便性の良い漁労機器および作業者を合理的に配置し、養殖用カゴ１２の移動距離（動線）を短くすることによって、１サイクルの所要時間を抑制でき作業効率が向上するとともに、作業者の人数を抑えることができる。
【００６０】
船体１４は繊維強化プラスチック（ＦＲＰ）からなるので、船体１４の洗浄時に海水を撒くことができる。
【００６１】
ついで、図１８（ａ）および（ｂ）に、この発明の他の実施形態の貝類回収船１０ａを示す。貝類回収船１０ａは、貝類取出装置１８、作業台２０およびカゴ上げ装置３４に代えて貝類取出装置１８ａ、作業台２０ａおよびカゴ上げ装置３４ａを用いる点において、貝類回収船１０と異なる。その他の構成については、貝類回収船１０ａは概ね貝類回収船１０と同様であるので、同様の部材や装置に同一の符号を付することによって、重複する説明は省略する。
【００６２】
作業台２０ａは、船体１４上において船体１４の長手方向中央部ＣＲ付近かつ貝類取出装置１８ａと船尾２６との間に設けられる。具体的には、作業台２０ａは、船体１４の長手方向中央部ＣＲ付近かつ幅方向の他端（この実施形態では左舷３０側）から、船体１４の幅方向に延びるように設けられる。この実施形態では、作業台２０ａは、船体１４の幅方向中央部ＣＬより右舷３２側にはみ出さないように設けられる。
【００６３】
図１９（ａ）〜（ｃ）を参照して、作業台２０ａは、たとえばＦＲＰからなり、２つの短冊状の支持板２３０と、支持板２３０上に配置されるテーブル２３２とを含む。テーブル２３２は、平面視で長方形状の外形を有し、船体１４の幅方向に延びる２つの溝部２３４ａ，２３４ｂを有する。２つの溝部２３４ａ，２３４ｂは、断面半円環状に形成される。
【００６４】
図１８を参照して、貝類取出装置１８ａは、船体１４の幅方向の一端（この実施形態では右舷３２側）から幅方向中央部ＣＬを超えた位置まで延び、かつ船体１４の幅方向の他端（この実施形態では左舷３０側）から離れて配置されている。
【００６５】
図２０〜図２２を参照して、貝類取出装置１８ａは、枠状部材２３６を含む。枠状部材２３６は、４つの角筒状の筒状部材２３８ａ，２３８ｂ，２３８ｃおよび２３８ｄを含む。筒状部材２３８ａ，２３８ｂは、互いに間隔をあけて平行にかつ船体１４の幅方向に延び、筒状部材２３８ａ，２３８ｂのそれぞれの左舷３０側の端部は筒状部材２３８ｃによって連結され、筒状部材２３８ａ，２３８ｂのそれぞれの右舷３２側の端部は筒状部材２３８ｄによって連結される。
【００６６】
枠状部材２３６には、養殖用カゴ１２から取り出された貝類が投入されるホッパ２４０が設けられる。ホッパ２４０は、枠状部材２３６より下方に突出するように設けられ、船体１４の幅方向の右舷３２寄りの位置に貝類の開口部２４２が形成される。なお、図２１において、点線バツ印（×）で示す箇所が開口部２４２である。
【００６７】
ホッパ２４０は、開口部２４２の左方から開口部２４２に向かって斜め下方に傾斜する左部２４４と、開口部２４２の右方から開口部２４２に向かって斜め下方に傾斜する右部２４６と、開口部２４２の前方から開口部２４２に向かって斜め下方に傾斜する前部２４８と、開口部２４２の後方から開口部２４２に向かって斜め下方に傾斜する後部２５０とを有する。さらに、ホッパ２４０は、断面略Ｖ字状のカバー部材２５２を有する。カバー部材２５２は、平面視で開口部２４２を覆うように、前部２４８および後部２５０を連結する。カバー部材２５２は、貝類の落下高さを小さくし、貝類を保護するガード機能を果たす。すなわち、上方から投入された貝類がホッパ２４０上に落下することなく開口部２４２から直接下方へ排出されることが、カバー部材２５２によって防止される。また、左部２４４上の水流の速度が上がるように、開口部２４２に向かうにしたがって左部２４４の幅を狭めている。
【００６８】
ホッパ２４０の上方には、養殖用カゴ１２を下方から保持するカゴ保持部２５４が設けられる。カゴ保持部２５４は、４つの棒状部材２５６，２５８，２６０，２６２と、８つの弧状部材２６４，２６６，２６８，２７０，２７２，２７４，２７６，２７８とを有する。棒状部材２５６，２５８，２６０，２６２は、ホッパ２４０と略同等の長さを有し、相互に平行にかつホッパ２４０の長手方向に延びる。弧状部材２６４は、棒状部材２５６，２５８，２６０，２６２の左舷３０側の端部を連結しかつ筒状部材２３８ｃ上に配置される。弧状部材２６６は、棒状部材２５６，２５８，２６０，２６２の右舷３２側の端部を連結しかつ筒状部材２３８ｄ上に配置される。弧状部材２６８，２７０，２７２は、弧状部材２６４と２６６との間を略等分するように、それぞれ棒状部材２５６と２５８とを連結する。同様に、弧状部材２７４，２７６，２７８は、弧状部材２６４と２６６との間を略等分するように、それぞれ棒状部材２６０と２６２とを連結する。また、棒状部材２６０と２６２との間において、板状部材２８０が弧状部材２６４と２７４とを連結し、板状部材２８２が弧状部材２７４と２７６とを連結し、板状部材２８４が弧状部材２７６と２７８とを連結し、板状部材２８６が弧状部材２７８と２６６とを連結する。各板状部材２８０〜２８６は、短冊状に形成されかつ幅方向にやや湾曲した形状を有する。さらに、弧状部材２６４には、略半楕円状の板状部材２８８が設けられ、弧状部材２６６には、略半円状の板状部材２９０が設けられる。棒状部材２６２と筒状部材２３８ｂとは、上下方向に延びる２つの棒状部材２９２，２９４によって連結され、これによってカゴ保持部２５４が枠状部材２３６上に固定される。なお、養殖用カゴ１２をカゴ保持部２５４に配置するとき、典型的には、カゴ本体４４の上部を弧状部材２６６側から弧状部材２６４側に滑らせて養殖用カゴ１２をカゴ保持部２５４上に配置する。したがって、貝類取出装置１８ａ（カゴ保持部２５４）では、弧状部材２６６側が入口、弧状部材２６４側が出口となる。
【００６９】
このようにホッパ２４０およびカゴ保持部２５４と一体化された枠状部材２３６には、４つの脚部２９６ａ，２９６ｂ，２９８ａ，２９８ｂが設けられる。脚部２９６ａ，２９８ａは、筒状部材２３８ａの長手方向に間隔をあけて、筒状部材２３８ａの下面から下方に延びるように形成される。脚部２９６ｂ，２９８ｂは、筒状部材２３８ｂの長手方向に間隔をあけて、筒状部材２３８ｂの下面から下方に延びるように形成される。脚部２９６ａ，２９６ｂ，２９８ａ，２９８ｂの下端部にはそれぞれ、高さ調整部材３００が取り付けられ、これによって枠状部材２３６（貝類取出装置１８ａ）ががたつきなく支持される。脚部２９６ａと２９８ａとはそれぞれの長手方向中央部よりやや上方において支持部材３０２によって連結される。支持部材３０２と同じ高さにおいて、脚部２９６ｂと２９８ｂとは図示しない支持部材によって連結され、脚部２９６ａと２９６ｂとは図示しない支持部材によって連結される。
【００７０】
図２３を参照して、脚部２９６ａと２９６ｂとはそれぞれの下端部近傍において、角筒状の連結部材３０４によって連結される。船体１４の幅方向中央部ＣＬ付近において、連結部材３０４の長手方向略中央部に接触するように配置されたブラケット部３０６が船体１４の上面に締結部材３０８によって固定される。別のブラケット部３１０が、連結部材３０４を包囲するように設けられ、かつブラケット部３０６に締結部材３１２ａ，３１２ｂによって固定される。これによって、貝類取出装置１８ａの左舷３０側の端部が船体１４に固定される。
【００７１】
図２０および図２２を参照して、ホッパ２４０の下方には選別機３１４が設けられる。選別機３１４は、少なくともホッパ２４０の開口部２４２の真下に位置するように設けられ、右舷３２側が高くかつ左舷３０側が低くなるように船体１４の幅方向に延びる。これにより、貝類は選別機３１４の上流側から下流側へ流れ易くなる。
【００７２】
選別機３１４は、受け部３１６とプレート状部材３１８とを有する。受け部３１６は、水および貝類が流れる流路が形成されるように、断面略Ｕ字状に形成されかつ船体１４の幅方向に延びる。プレート状部材３１８は、略短冊状に形成され、受け部３１６の深さ方向略中央部において長手方向に延びるように設けられる。言い換えれば、受け部３１６は、プレート状部材３１８によって上下方向に区画される。プレート状部材３１８には、略同じサイズの複数の貫通孔（図示せず）が形成され、当該貫通孔によって比較的小さい貝類を受け部３１６の底部上に落とすことができ、貝類を大きさによって選別することができる。受け部３１８の先端部には揺動可能な滑り台３２０が設けられる。選別機３１４（受け部３１６）は、連結部材３０４（図２３参照）の上面から上方に延びる支持部材３２２と、ブラケット部３５８（後述）によって支持される。
【００７３】
また、脚部２９８ａ，２９８ｂのそれぞれの下端部近傍を連結するように角板状の支持台３２４が設けられ、支持台３２４の先端部は、２つの連結部材３２６によって支持部材３０２と支持部材３０２に平行な図示しない支持部材とに接続される。
【００７４】
支持台３２４と選別機３１４との間には、振動発生部３２８が設けられる。
図２４を参照して、振動発生部３２８は、支持台３２４上に設けられる油圧式のモータ３３０、電磁弁ユニット３３２およびスロットルチェック弁３３４を含む。モータ３３０は、ブラケット部３３６を介して支持台３２４上に取り付けられ、電磁弁ユニット３３２は、海水に濡れないようにカバー部材３３８が被せられて支持台３２４上に取り付けられ、スロットルチェック弁３３４は、ブラケット部３４０を介して支持台３３２上に取り付けられる。電磁弁ユニット３３２によってモータ３３０の回転数が一定に保たれる。スロットルチェック弁３３４のつまみ３３４ａを回すことによってモータ３３０でのオイルの流量が調整され、それによってモータ３３０の回転数が調整される。
【００７５】
モータ３３０の回転軸３４２には円柱部材３４４が同軸状に取り付けられる。円柱部材３４４には、棒状のリンク部材３４６の一端部が偏心するように接続され、リンク部材３４６の他端部が、短冊状のリンク部材３４８の下端部に接続される。リンク部材３４８の中央部より上端部寄りの位置が、リンク部材３４８に対して直交する回転軸３５０に接続される。脚部２９８ａ，２９８ｂにはそれぞれ、ブラケット部３５２ａ，３５２ｂが取り付けられ、ブラケット部３５２ａ，３５２ｂにはそれぞれ軸受け部３５４（図２０参照）が設けられる。回転軸３５０の両端部はそれぞれ軸受け部３５４に支持され、これによって回転軸３５０は回転可能に支持される。
【００７６】
リンク部材３４８の先端部近傍には、回転軸３５６の一端部が取り付けられる。選別機３１４の下面における右舷３２側の端部近傍かつ幅方向略中央部には、ブラケット部３５８が取り付けられ、ブラケット部３５８には軸受け部３６０が設けられる。回転軸３５６の略中央部が軸受け部３６０によって支持され、これによって、回転軸３５６は、ブラケット部３５８に対して回転可能となる。
【００７７】
このような振動発生部３２８は、図示しないスイッチのオン／オフに応じて動作する。スイッチをオンすると、振動発生部３２８においてモータ３３０が回転し、リンク部材３４６の一端部の回転に伴って、リンク部材３４６の他端部が揺動する。すると、リンク部材３４８は、回転軸３５０を中心として揺動し、それに伴って、回転軸３５６が選別機３１４の長手方向に揺動する。それによって、選別機３１４が振動する。
【００７８】
さらに、枠状部材２３６の左舷３０側端部には、散水部３６２が設けられる。
散水部３６２は、ホッパ２４０の左舷３０側の端部においてホッパ２４０の幅方向に延びる散水パイプ３６４と、散水パイプ３６４の下方に位置しかつ散水パイプ３６４に対して平行に設けられる散水パイプ３６６とを有する。散水パイプ３６４，３６６には、長手方向に間隔をあけて複数の貫通孔（図示せず）が形成されている。散水部３６２に水が導入されると、散水パイプ３６４の複数の貫通孔からホッパ２４０内へたとえば高圧で散水されるとともに、散水パイプ３６６の複数の貫通孔から選別機３１４内へたとえば高で散水される。これによって、ホッパ２４０内および選別機３１４内の貝類が洗浄されかつ流れやすくなる。そして、大きい貝類はカゴ３６８に収容され、小さい貝類はカゴ３７０に収容される。
【００７９】
このような貝類取出装置１８ａは、脚部２９８ａ，２９８ｂ間を連結するブラケット部３７２と、船体１４の右舷３２に固定されたブラケット部３７４とを、締結部材３７６によって連結することによって、船体１４に安定的に固定される。
【００８０】
図２５（ａ）〜（ｃ）を参照して、カゴ上げ装置３４ａは、図１４に示すカゴ上げ装置３４より上下方向の寸法が小さい。
【００８１】
カゴ上げ装置３４ａは、略Ｚ字状の支柱３７８を含む。支柱３７８の下部にはフランジ部３８０が取り付けられる。支柱３７８の上端部には、略Ｔ字状の保持部３８２が取り付けられ、保持部３８２によってモータ３８４が保持される。モータ３８４には、略水平方向に延びるように回転軸３８６が取り付けられ、モータ３８４によって回転軸３８６が回転される。回転軸３８６にはドラム部３８８が設けられる。ドラム部３８８は、一対の円板状部材３９０ａ，３９０ｂを有する。円板状部材３９０ａ，３９０ｂは、相互に対向するように回転軸３８６に取り付けられる。円板状部材３９０ａと回転軸３８６とを連結するように複数（この実施形態では５本）の湾曲したワイヤ部材３９２ａが設けられ、円板状部材３９０ｂと回転軸３８６とを連結するように複数（この実施形態では５本）の湾曲したワイヤ部材３９２ｂが設けられる。すなわち、各ワイヤ部材３９２ａは、円板状部材３９０ａの対向面における外周縁近傍と、回転軸３８６における円板状部材３９０ａ，３９０ｂの略中間位置とを、やや膨らむように湾曲して連結する。５本のワイヤ部材３９２ａは、円板状部材３９０ａの周方向において略等間隔に設けられる。同様に、各ワイヤ部材３９２ｂは、円板状部材３９０ｂの対向面における外周縁近傍と、回転軸３８６における円板状部材３９０ａ，３９０ｂの略中間位置とを、やや膨らむように湾曲して連結する。５本のワイヤ部材３９２ｂは、円板状部材３９０ｂの周方向において略等間隔に設けられる。各ワイヤ部材３９２ａとそれに対応するワイヤ部材３９２ｂとは、相互に回転軸３８６の軸方向に並ぶように位置決めされる。これによって、回転軸３８６の軸方向に対して直交する方向から見ると、相互に対応するワイヤ部材３９２ａと３９２ｂとによって、略Ｖ字が形成され、合計５つの略Ｖ字が形成される。当該Ｖ字の谷の部分、すなわちワイヤ部材３９２ａ，３９２ｂの回転軸３８６側端部間に、カゴひも４６を引っ掛けることができる。ワイヤ部材３９２ａと３９２ｂとをこのように略Ｖ字状に形成することによって、カゴひも４６を引っ掛け易くなる一方、カゴ本体４４は引っ掛かり難く破損しにくい。このようなカゴ上げ装置３４ａは、支柱３７８を右舷３２に設けられる保持部３９４に挿入し、フランジ部３８０と保持部３９４のフランジ部３９４ａとを締結部材３９６によって接続することによって、右舷３２に固定される。
【００８２】
このような貝類回収船１０ａによれば、貝類回収船１０と略同様の作用効果が得られる。
【００８３】
また、貝類回収船１０ａでは、貝類取出装置１８ａは、船体１４の幅方向の一端から幅方向中央部ＣＬを超えた位置まで延び、かつ船体１４の幅方向の他端から離れて配置されており、作業台２０ａは、船体１４の幅方向の他端において、貝類取出装置１８ａと船尾２６との間に設けられる。したがって、貝類取出装置１８ａの長手方向の寸法を短くでき、貝類取出装置１８ａと船体１４の幅方向の他端との間にスペースを設けることができるので、作業性が向上する。特に、貝類取出装置１８ａによって取り出された貝類を、容易に作業台２０ａまで運搬することができる。
【００８４】
なお、図２６に示す貝類回収船１０ｂのように、貝類取出装置１８ａが船体１４の長手方向中央部ＣＲと船尾２６との間に設けられ、作業台２０ａが貝類取出装置１８ａと船首１６との間に設けられてもよい。貝類回収船１０ｂでは、ロープリフタ３８、および送出部として機能する駆動式テボヨケ４０が、船体１４の第１領域ＦＲに設けられ、カゴ上げ装置３４ａ、およびガイド部として機能する被駆動式テボヨケ４２が、船体１４の第２領域ＳＲに設けられる。具体的には、カゴ上げ装置３４ａおよび被駆動式テボヨケ４２は、貝類取出装置１８ａの近傍に設けられる。その他の構成については、貝類回収船１０ｂは貝類回収船１０ａと同様であるので、同様の部材や装置に同一の符号を付することによって、重複する説明は省略する。図２６に示す貝類回収船１０ｂは、本願では参考例である。
【００８５】
このような貝類回収船１０ｂは、船尾側を船進行方向の前方として航行する場合に好適に用いられる。
【００８６】
上述の実施形態において、たとえばストレーナ３９８（図１、図１８参照）によって船体１４に海水を引き込んで、散水部からの散水、船体１４の洗浄等に用いてもよい。
【００８７】
上述の実施形態において、選別機は、貝類のサイズに応じて交換可能に構成されてもよい。また、選別機は、受け部上に位置しかつ貫通孔を有するプレート状部材を有し、当該プレート状部材のみを貝類のサイズに応じて交換できるように構成されてもよい。
【００８８】
上述の実施形態では、選別機は貝類取出装置に取り付けられたが、これに限定されない。選別機は貝類取出装置に後続するように設けられてもよい。
【００８９】
上述の実施形態では、カゴ上げ装置、ロープリフタ、駆動式テボヨケおよび被駆動式テボヨケは、右舷３２に設けられたが、これに限定されず、左舷３０に設けられてもよい。この場合、貝類取出装置の位置も適宜変更される。
【００９０】
なお、上述の実施形態に示すように、この発明の或る見地によれば、
養殖用カゴから貝類を回収する貝類回収船であって、
船体と、
前記船体の幅方向に延びており、前記養殖用カゴから前記貝類を取り出すために前記船体上に設けられる貝類取出装置と、
前記船体の舷側に設けられており、前記養殖用カゴが取り付けられた幹綱を前記船体に対して相対的に船進行方向の前方から後方へ送り出しながら当該貝類回収船を前進させる船前進機構とを備える、貝類回収船が提供される。
【００９１】
従来の貝類回収船では、推進器で船を推進させつつ養殖用カゴを引き上げる必要があった。
【００９２】
それに対して、この発明に係る貝類回収船では、舷側に設けられた船前進機構により、幹綱を手繰りよせつつ船を前進させながら、進行方向（前後方向）に対して幅方向に延びた貝類取出装置で貝類を効率的に取り出すことができる。また、船前進機構は、船の推進機を補助することができるため、推進機を利用しなくても、または推進機の推進力を抑えても前進可能であり、作業中の推進機による燃料消費を抑制することができる。さらに、引き上げた養殖用カゴから次の養殖用カゴまで手繰り寄せることで適正量の前進が可能であり、作業も効率的となる。
【００９３】
好ましくは、当該貝類回収船において、前記船前進機構は、前記幹綱を送り出す送出部と、前記幹綱を前記送出部へ案内するガイド部とを備え、前記送出部と前記ガイド部とは船進行方向に並んで配置される。このように送出部とガイド部とを進行方向に並んで備えることで、幹綱に沿って船を誘導することができる。
【００９４】
なお、送出部およびガイド部はそれぞれ少なくとも１つずつあればよいが、複数設けられてもよい。
【００９５】
また好ましくは、当該貝類回収船において、前記貝類取出装置は、前記船体の長手方向において、前記送出部と前記ガイド部との間に設けられる。この場合、貝類の取り出しが容易になる。
【００９６】
さらに好ましくは、当該貝類回収船において、前記貝類取出装置は、前記ガイド部の近傍に設けられる。送出部とガイド部とは離れている方が、貝類回収船の航行が安定するとともに、送出部とガイド部との間のカゴ数を多くでき作業効率が良くなる。そこで、送出部とガイド部とは船長手方向に離れて取り付けられ、この場合、ガイド部は、船長手方向において船首寄りまたは船尾寄りに設けられることになる。このようなガイド部の近傍に貝類取出装置を設けると、貝類取出装置を船長手方向において船首寄りまたは船尾寄りに位置させることができ、船体（デッキ）上の作業空間を広くとることができる。
【００９７】
好ましくは、当該貝類回収船において、前記送出部は、船進行方向において前記ガイド部の後方に配置される。このようにガイド部が前、送出部が後ろに配置されることで、ガイド部と送出部との間の綱の弛みを防止できる。
【００９８】
また好ましくは、当該貝類回収船において、前記船体の長手方向中央部と船首との間を第１領域、前記船体の長手方向中央部と船尾との間を第２領域とすると、前記貝類取出装置と前記送出部とは異なる領域に配置される。このように貝類取出装置と送出部との間を広く確保することで、作業がしやすくなる。
【００９９】
さらに好ましくは、当該貝類回収船において、前記綱上げ装置は、前記送出部の近傍に配置される。この場合、網上げの準備が容易になる。
【０１００】
なお、図１に示す貝類回収船１０および図１８に示す貝類回収船１０ａは、船首側が船進行方向の前方となるように航行することが好ましく、図２６に示す貝類回収船１０ｂは、船尾側が船進行方向の前方となるように航行することが好ましいが、これに限定されない。図１に示す貝類回収船１０および図１８に示す貝類回収船１０ａは、船尾側が船進行方向の前方となるように航行されてもよく、図２６に示す貝類回収船１０ｂは、船首側が船進行方向の前方となるように航行されてもよい。
【符号の説明】
【０１０１】
１０，１０ａ，１０ｂ      貝類回収船
１２      養殖用カゴ
１４      船体
１６      船首
１８，１８ａ      貝類取出装置
２０，２０ａ      作業台
２６      船尾
３４，３４ａ      カゴ上げ装置
３６      船前進機構
３８      ロープリフタ
４０      駆動式テボヨケ
４２      被駆動式テボヨケ
５０      幹綱
１１２，１６２，２０４，３３０      モータ
１４６，３１４      選別機
１７３      カゴ洗浄部
２０６      ワーピングドラム
ＣＲ      船体の長手方向中央部
ＣＬ      船体の幅方向中央部
【図１】
2015142551.tif 000003
【図２】
2015142551.tif 000004
【図３】
2015142551.tif 000005
【図４】
2015142551.tif 000006
【図５】
2015142551.tif 000007
【図６】
2015142551.tif 000008
【図７】
2015142551.tif 000009
【図８】
2015142551.tif 000010
【図９】
2015142551.tif 000011
【図１０】
2015142551.tif 000012
【図１１】
2015142551.tif 000013
【図１２】
2015142551.tif 000014
【図１３】
2015142551.tif 000015
【図１４】
2015142551.tif 000016
【図１５】
2015142551.tif 000017
【図１６】
2015142551.tif 000018
【図１７】
2015142551.tif 000019
【図１８】
2015142551.tif 000020
【図１９】
2015142551.tif 000021
【図２０】
2015142551.tif 000022
【図２１】
2015142551.tif 000023
【図２２】
2015142551.tif 000024
【図２３】
2015142551.tif 000025
【図２４】
2015142551.tif 000026
【図２５】
2015142551.tif 000027
【図２６】
2015142551.tif 000028